【手続補正書】
【提出日】平成29年1月24日(2017.1.24)
【手続補正１】
【補正対象書類名】特許請求の範囲
【補正対象項目名】全文
【補正方法】変更
【補正の内容】
【特許請求の範囲】
【請求項１】
複数の頭部装着ディスプレイそれぞれについて、取得されたユーザ識別情報に関連付けられた表示設定情報に基づいて、頭部装着ディスプレイの表示設定を行う表示制御部を備える、表示制御装置。
【請求項２】
前記頭部装着ディスプレイからの情報が入力される入力部と、
前記表示設定情報を記憶する設定記憶部と、
を備え、
前記入力部は、表示設定を行う前記頭部装着ディスプレイに設けられたリーダ部により取得された前記ユーザ識別情報の入力を受け、
前記表示制御部は、前記入力部に入力された前記ユーザ識別情報に基づいて、前記設定記憶部から前記ユーザ識別情報に関連付けられた前記表示設定情報を取得する、請求項１に記載の表示制御装置。
【請求項３】
前記頭部装着ディスプレイからの情報が入力される入力部を備え、
前記入力部は、表示設定を行う前記頭部装着ディスプレイに設けられたリーダ部により取得された前記ユーザ識別情報および前記表示設定情報の入力を受け、
前記表示制御部は、前記入力部に入力された前記表示設定情報に基づいて、頭部装着ディスプレイの表示設定を行う、請求項１に記載の表示制御装置。
【請求項４】
前記各頭部装着ディスプレイの表示設定の状態を通知する通知部を備える、請求項１〜３のいずれか１項に記載の表示制御装置。
【請求項５】
前記表示制御部は、前記頭部装着ディスプレイに対する表示設定の状態を、外部の表示装置に表示させる、請求項１〜４のいずれか１項に記載の表示制御装置。
【請求項６】
前記表示制御部は、前記各頭部装着ディスプレイの前記ユーザ識別情報を、外部の表示装置に表示させる、請求項１〜５のいずれか１項に記載の表示制御装置。
【請求項７】
前記表示設定情報は、少なくとも画質、画像の配置、画像の表示方向のうち、少なくともいずれか１つである、請求項１〜６のいずれか１項に記載の表示制御装置。
【請求項８】
前記ユーザ識別情報は、非接触型ＩＣカードに記憶されたユーザ固有の情報である、請求項１〜７のいずれか１項に記載の表示制御装置。
【請求項９】
前記表示設定情報は、前記頭部装着ディスプレイに対する生体内画像の表示に関する情報である、請求項１〜８のいずれか１項に記載の表示制御装置。
【請求項１０】
複数の頭部装着ディスプレイそれぞれについて、取得されたユーザ識別情報に関連付けられた表示設定情報に基づいて、頭部装着ディスプレイの表示設定を行う、表示制御方法。
【請求項１１】
複数の頭部装着ディスプレイと、
前記頭部装着ディスプレイのそれぞれについて表示設定を行う表示制御装置と、
からなり、
前記頭部装着ディスプレイは、少なくともユーザ識別情報を取得するリーダ部を備え、
前記表示制御装置は、
前記各頭部装着ディスプレイからユーザ識別情報が入力される入力部と、
前記ユーザ識別情報に関連付けられた表示設定情報に基づいて、前記頭部装着ディスプレイの表示設定を行う表示制御部と、
を備える、表示制御システム。
【請求項１２】
少なくともユーザ識別情報を取得するリーダ部と、
前記リーダ部により取得された情報を、表示制御装置に出力する出力部と、
を備える、頭部装着ディスプレイ。
【請求項１３】
医療用撮像装置と、
前記医療用撮像装置で撮像された画像を表示する複数の頭部装着ディスプレイと、
前記頭部装着ディスプレイのそれぞれについて表示設定を行う表示制御装置と、
からなり、
前記表示制御装置は、
前記頭部装着ディスプレイからユーザ識別情報が入力される入力部と、
前記ユーザ識別情報に関連付けられた表示設定情報に基づいて、前記頭部装着ディスプレイの表示設定を行う表示制御部と、
を備える、表示制御システム。
【請求項１４】
前記医療用撮像装置は、内視鏡装置である、請求項１３に記載の表示制御システム。

【手続補正２】
【補正対象書類名】明細書
【補正対象項目名】００４３
【補正方法】変更
【補正の内容】
【００４３】
次いで、プロセッサユニット２００の表示処理機能についてみる。プロセッサユニット２００は、図３に示すように、画像入力部２１１と、画像処理部２１２と、入力部２１３と、表示制御部２１４と、出力部２１５と、操作入力部２１６と、設定記憶部２１７と、を備える。
【手続補正３】
【補正対象書類名】明細書
【補正対象項目名】００４７
【補正方法】変更
【補正の内容】
【００４７】
表示制御部２１４は、ＨＭＤ１００の表示部に表示させる情報を制御する。表示制御部２１４は、リモートコントローラ１０２からの表示切替指示に基づき、指示された情報を表示するように制御する。また、表示制御部２１４は、入力部２１３から入力されたユーザ識別情報に基づいて対応する表示設定情報を取得し、取得された表示設定情報に基づいて、表示設定を行う。表示制御部２１４は、各ＨＭＤ１００に表示させる情報およびその表示設定を決定すると、出力部２１５を介して当該情報を各ＨＭＤ１００へ出力する。
【手続補正４】
【補正対象書類名】明細書
【補正対象項目名】００４８
【補正方法】変更
【補正の内容】
【００４８】
操作入力部２１６は、ＨＭＤ１００の装着者からの操作入力を受ける入力部である。本実施形態において、ＨＭＤ１００の表示部に表示される情報は、リモートコントローラ１０２によって切替可能である。リモートコントローラ１０２に対する操作入力は操作入力部２１６へ出力され、操作入力部２１５はこの操作入力情報を表示制御部２１４に出力する。表示制御部２１４は、リモートコントローラ１０２からの表示切替指示に基づき、指示された情報を、出力部２１５を介してＨＭＤ１００へ出力する。
【手続補正５】
【補正対象書類名】明細書
【補正対象項目名】００５６
【補正方法】変更
【補正の内容】
【００５６】
本実施形態に係る表示制御システムにおいて、ＨＭＤ１００の表示部の表示設定を行うには、まず、設定するＨＭＤ１００のリーダ部１７０にユーザ識別情報を取得させる（Ｓ１００）。ユーザは、例えば図２に示したように、ＨＭＤ１００のリーダ部１７０に対して、ユーザ識別情報を保持しているＩＤカード５００近づけて、ユーザ識別情報を取得させる。リーダ部１７０により取得されたユーザ識別情報は、ケーブル１４０を介してプロセッサユニット２００へ出力される。
【手続補正６】
【補正対象書類名】明細書
【補正対象項目名】００５８
【補正方法】変更
【補正の内容】
【００５８】
表示制御部２１４により、表示設定情報に基づく画像とされると、出力部２１５を介してＨＭＤ１００に画像データが出力される。このとき、表示制御部２１４は、ＨＭＤ１００の表示設定がどのユーザ識別情報に基づくものであるかをプロセッサユニット２００に設けられた通知部に表示させるようにしてもよい（Ｓ１３０）。
【手続補正７】
【補正対象書類名】明細書
【補正対象項目名】００６６
【補正方法】変更
【補正の内容】
【００６６】
＜２．第２の実施形態＞
図１１に基づいて、本開示の第２の実施形態に係る表示制御システムについて説明する。なお、図１１は、本実施形態に係る表示制御システムを構成するＨＭＤおよびプロセッサユニットの機能構成を示す機能ブロック図である。ここでも、第１の実施形態と同様、内視鏡システム２へ本実施形態に係る表示制御システムを適用した場合について説明する。本実施形態に係る表示制御システムは、第１の実施形態に係る表示制御システムと比較して、各ユーザのＨＭＤ１００ｐの表示設定情報がＩＤカード５００ｐに記憶されている点で相違する。以下では、第１の実施形態との相違点について説明し、第１の実施形態と同様の機能部についての詳細な説明は省略する。
【手続補正８】
【補正対象書類名】明細書
【補正対象項目名】００６７
【補正方法】変更
【補正の内容】
【００６７】
まず、ＨＭＤ１００ｐの表示処理機能についてみると、図１１に示すように、ＨＭＤ１００ｐは、ディスプレイポート１６２と、画像生成部１６４と、表示素子１６５、１６６と、リーダ部１７０とを備える。これらの機能構成は、第１の実施形態に係るＨＭＤ１００と同一である。
【手続補正９】
【補正対象書類名】明細書
【補正対象項目名】００６８
【補正方法】変更
【補正の内容】
【００６８】
本実施形態において、リーダ部１７０は、ＩＤカード５００ｐからユーザ識別情報に加え、ＨＭＤ１００ｐの表示設定情報も取得する。ＩＤカード５００ｐは設定記憶部５２０を記憶するメモリを備えており、設定記憶部５２０には予め各ユーザが設定したＨＭＤ１００ｐの表示設定情報が記憶されているものとする。リーダ部１７０は、取得したユーザ識別情報および表示設定情報を、プロセッサユニット２００ｐへ送信する。
【手続補正１０】
【補正対象書類名】明細書
【補正対象項目名】００７０
【補正方法】変更
【補正の内容】
【００７０】
本実施形態に係る入力部２１３は、ＨＭＤ１００ｐのリーダ部１７０にて取得されたユーザ識別情報および表示設定情報が入力されるインタフェースである。入力部２１３に入力されたこれらの情報は、表示制御部２１４へ出力される。
【手続補正１１】
【補正対象書類名】明細書
【補正対象項目名】００７１
【補正方法】変更
【補正の内容】
【００７１】
表示制御部２１４は、ＨＭＤ１００ｐの表示部に表示させる情報を制御する。表示制御部２１４は、リモートコントローラ１０２からの表示切替指示に基づき、指示された情報を表示するように制御する。また、表示制御部２１４は、入力部２１３から入力された表示設定情報に基づいて、ＨＭＤ１００ｐの表示設定を行い、画像処理部２１２から入力された画像を、出力部２１５を介して各ＨＭＤ１００ｐへ出力する。
【手続補正１２】
【補正対象書類名】明細書
【補正対象項目名】００７２
【補正方法】変更
【補正の内容】
【００７２】
このように、ＨＭＤ１００ｐの表示設定情報を、ユーザ識別情報とともに保持しておくことで、プロセッサユニット２００ｐ内に各ユーザの表示設定情報を保持する必要がなくなる。したがって、ユーザが初めて使用するＨＭＤ１００ｐ、プロセッサユニット２００ｐに対しても、ユーザの所望の表示設定でＨＭＤ１００ｐに画像を表示することができる。なお、本実施形態においても、第１の実施形態と同様、ＨＭＤ１００ｐの表示設定の状態をＨＭＤ１００ｐや外部のディスプレイ３００に表示させるようにしてもよい。
【手続補正１３】
【補正対象書類名】明細書
【補正対象項目名】００７９
【補正方法】変更
【補正の内容】
【００７９】
１        内視鏡システム
１００    ＨＭＤ
１０２    リモートコントローラ
１６２    ディスプレイポート
１６４    画像生成部
１６５    第１の表示素子
１６６    第２の表示素子
１７０    リーダ部
２００    プロセッサユニット
２１１    画像入力部
２１２    画像処理部
２１３    入力部
２１４    表示制御部
２１５    出力部
２１６    操作入力部
２１７    設定記憶部（プロセッサユニット）
３００    ディスプレイ
４００    外部機器
５００    ＩＤカード
５２０    設定記憶部（ＩＤカード）